(57)【要約】【課題】本発明は、無線ネットワーク制御装置および基地局を含む無線セルラ通信システムにおける通信方法を提供する。【解決手段】この方法は、基地局によって、無線ネットワーク制御装置から、複数の直交可変拡散率符号を受信するステップと、基地局によって、負荷状況を評価するステップと、無線ネットワーク制御装置から受信された直交可変拡散率符号が負荷状況について不十分な場合には、基地局により、無線ネットワーク制御装置からの直交可変拡散率符号の数の変更を要求するステップとを含む。【選択図】      図２
2005065258.tif 000002
【特許請求の範囲】
【請求項１】
無線ネットワーク制御装置および基地局を含む、無線セルラ通信システムにおける通信方法であって、
基地局によって、無線ネットワーク制御装置から、複数の直交可変拡散率符号を受信するステップと、
基地局によって、負荷状況を評価するステップと、
無線ネットワーク制御装置から受信された直交可変拡散率符号が負荷状況について不十分な場合には、基地局により、無線ネットワーク制御装置からの追加の直交可変拡散率符号を要求するステップとを含む方法。
【請求項２】
負荷状況よりも高い負荷が、無線ネットワーク制御装置から受信された直交可変拡散率符号によって処理され得ると、基地局によって決定される場合は、直交可変拡散率符号の数を減らすために、基地局から無線ネットワーク制御装置に要求が送信される請求項１に記載の通信方法。
【請求項３】
基地局により、符号ブロッキングに基づいて負荷状況を測定することをさらに含む請求項１に記載の方法。
【請求項４】
基地局が第１の複数のデータチャネルおよびデータチャネルのための第２の複数の制御チャネルをサポートし、無線ネットワーク制御装置から受信される直交可変拡散率符号の数がコヒーレント符号領域であり、さらに、コヒーレント符号領域を、データチャネルについてのコヒーレントサブ領域と制御チャネルについての第１と第２のサブ領域に分割し、負荷状況に応じてコヒーレントサブ領域及び第１と第２のサブ領域のサイズが基地局によって選択される、ことを含む請求項１に記載の通信方法。
【請求項５】
第１および第２サブ領域がコヒーレントサブ領域に隣接する請求項４に記載の通信方法。
【請求項６】
無線セルラ通信システムにおける、無線ネットワーク制御装置に結合されるように構成された基地局のためのコンピュータプログラム製品であって、
基地局によって、無線ネットワーク制御装置から、複数の直交可変拡散率符号を受信するステップと、
基地局によって、負荷状況を評価するステップと、
無線ネットワーク制御装置から受信された直交可変拡散率符号が負荷状況に不十分な場合は、基地局によって、無線ネットワーク制御装置からの直交可変拡散率符号の数の変更を要求するステップとを実施するためのプログラム手段を含むコンピュータプログラム製品。
【請求項７】
基地局が第１の複数のデータチャネルおよび第２の複数の制御チャネルをサポートし、コンピュータプログラム手段が、コヒーレント符号領域として符号を受信し、コヒーレント符号領域を、データチャネルについてのコヒーレントサブ領域と制御チャネルについての第１と第２のサブ領域に分割し、負荷状況に応じて、コヒーレントサブ領域及び第１と第２のサブ領域のサイズを選択するように構成される請求項６に記載のコンピュータプログラム製品。
【請求項８】
プログラム手段が、符号ブロッキングに基づいて負荷状況を測定するように構成される請求項６に記載のコンピュータプログラム製品。
【請求項９】
無線セルラ通信システムの基地局であって、
無線セルラ通信システム（１００、２００）の無線ネットワーク制御装置（１０２、２０２）から、複数の直交可変拡散率符号（１１６、２１６、５００）を受信する手段（１０６、２０６）と、
負荷状況を評価する手段（１１４、２１４、２２０）と、
無線ネットワーク制御装置から受信された複数の直交可変拡散率符号が負荷状況に不十分な場合は、無線ネットワーク制御装置からの追加の直交可変拡散率符号を要求する手段（１１４、２２０）とを含む基地局。
【請求項１０】
無線セルラ通信システムの無線ネットワーク制御装置であって、
無線セルラ通信システム（１００、２００）の基地局（１０４、２０４）に、コヒーレント符号領域（１１６、２１６）を送信する手段と、
基地局から、コヒーレント符号領域の符号の数を変更する要求（１１８、２１８、５０２）を受信する手段とを含む無線ネットワーク制御装置。
【発明の詳細な説明】
【技術分野】
【０００１】
本発明は、無線セルラ通信ネットワークにおける通信の分野に関し、特に、こうしたネットワークにおける直交可変拡散率符号の使用に関する。
【背景技術】
【０００２】
無線システムの次世代は、マルチメディア通信の時代になると予想される。こうした統合されたサービスプラットフォームを提供するために、システムは、様々なサービスタイプのための様々な伝送速度で、ユーザを多重できなければならない。新たな第三世代無線規格、たとえばＵＭＴＳ／ＩＭＴ−２０００は、広帯域ＣＤＭＡ（Ｗ−ＣＤＭＡ）技術に基づいて、マルチメディアアプリケーションの可変速度要件に対処する。
【０００３】
Ｗ−ＣＤＭＡでは、ツリー構造の形で生成され得る、直交可変拡散率（ＯＶＳＦ：orthogonal  variable−spreading−factor）符号を使用することによって、マルチレートサービスを提供することができる。この方式は、ＯＶＳＦ−ＣＤＭＡとして知られている。ＯＶＳＦ−ＣＤＭＡにおける重要な制約は、割り当てられたＯＶＳＦ符号間で直交性を維持することである。換言すれば、ＯＶＳＦコードが、既に割当てされた他のＯＶＳＦ符号に直交しない場合、ＯＶＳＦ符号は、速度要求に対して割り当てられることができない。その結果、システムのスペクトル効率は、符号割当て方式に大きく依存することになる。
【０００４】
従来のＯＶＳＦ符号割当て機構（ＣＯＮＶ：conventional  OVSF-code  assignment  scheme）では、要求速度を満たし得る使用可能なものがあり、そして直交性が維持される場合にだけ、ＯＶＳＦ符号が伝送要求に割り当てられる。この機構には、「符号ブロッキング」と称される問題を有する。符号ブロッキングは、システムが高速要求を提供するのに十分な容量をまだ有しているにも拘らず、こうした速度のためにサポートされるすべての符号が割当てされた符号に直交しないために、高速要求がサポートされることができないという問題である。これは、高速伝送要求について高いブロッキング率となる。
【０００５】
符号化ブロッキングの問題を緩和するために、領域分割割当て（ＲＤＡ：region  division  assignment）と称される、代替のＯＶＳＦ符号割当て機構が提案されてきた。ＲＤＡは、ＯＶＳＦ符号ツリーを、各サポート速度についての領域に分割し、それぞれの領域について、各サポート速度についての速度要求の可能性に応じて、ＯＶＳＦ符号が、事前に確保される。ＲＤＡによって、ユーザは、少なくとも既に確保されている符号について、要求速度でサービスを得ることができる。ＲＤＡでは、符号の再割当てを行わないので、制御信号のオーバヘッドはない。
【０００６】
ＣＯＮＶのＯＶＳＦ符号割当てアルゴリズムについて、要点を以下に述べる。ユーザから要求が来ると、要求される速度を満たすのに十分であるかどうか、システムの容量がチェックされる。十分である場合は、要求速度を満たせ、また直交性が維持されるるものがあるという条件で、ＯＶＳＦ符号が要求に割り当てられる。
【０００７】
ＲＤＡは、それぞれの要求速度について、後でＯＶＳＦ符号を効率的に割り当てるために、符号ツリーを分割し、それぞれのサポート速度について、事前にＯＶＳＦ符号を確保するという戦略を用いる。したがって、ＯＶＳＦ符号の確保のために、符号ツリーの初期化が必要である。
【０００８】
ＣＯＮＶとＲＤＡの性能の比較に関して、「Ｐｅｒｆｏｒｍａｎｃｅ  ｅｖａｌｕａｔｉｏｎ  ｏｆ  ｏｒｔｈｏｇｏｎａｌ  ｖａｒｉａｂｌｅ−ｓｐｒｅａｄｉｎｇ−ｆａｃｔｏｒ  ｃｏｄｅ  ａｓｓｉｇｎｍｅｎｔ  ｓｃｈｅｍｅｓ  ｂａｓｅｄ  ｏｎ  ＵＭＴＳ／ＩＭＴ−２０００  ｉｎ  Ｗ−ＣＤＭＡ」、Ｖｅｈｉｃｕｌａｒ  Ｔｅｃｈｎｏｌｏｇｙ  Ｃｏｎｆｅｒｅｎｃｅ，２００２、議事録、ＶＴＣ  ２００２−Ｆａｌｌ、２００２  ＩＥＥＥ  ５６ｔｈ、Ｒ．  Ａｓｓａｒｕｔ、Ｋ．  Ｋａｗａｎｉｓｈｉ、Ｕ．  Ｙａｍａｍｏｔｏ、Ｙ．  Ｏｎｏｚａｔｏ、１５８５−１５８９頁、３巻を参照する。この論文は、これまでに提案されたＵＭＴＳ／ＩＭＴ２０００に基づいて、直交可変拡散率（ＯＶＳＦ）符号割当て機構の性能を比較している。
【０００９】
直交可変拡散率符号の別の割当て機構は、「Ｎｏｎｒｅａｒｒａｎｇｅａｂｌｅ  ｃｏｍｐａｃｔ  ａｓｓｉｇｎｍｅｎｔ  ｏｆ  ｏｒｔｈｏｇｏｎａｌ  ｖａｒｉａｂｌｅ  ｓｐｒｅａｄｉｎｇ  ｆａｃｔｏｒ  ｃｏｄｅｓ  ｆｏｒ  ｍｕｌｔｉ−ｒａｔｅ  ｔｒａｆｆｉｃ」、Ｖｅｈｉｃｕｌａｒ  Ｔｅｃｈｎｏｌｏｇｙ  Ｃｏｎｆｅｒｅｎｃｅ，  ２００１，ＶＴＣ  ２００１  Ｆａｌｌ、ＩＥＥＥ  ＶＴＳ  ５４ｔｈ、Ｙａｎｇ  Ｙａｎｇ、Ｙｕｍ，Ｔ．−Ｓ．Ｐ．、９３８−９４２頁、２巻から知られている。
【非特許文献１】「Ｐｅｒｆｏｒｍａｎｃｅ  ｅｖａｌｕａｔｉｏｎ  ｏｆ  ｏｒｔｈｏｇｏｎａｌ  ｖａｒｉａｂｌｅ−ｓｐｒｅａｄｉｎｇ−ｆａｃｔｏｒ  ｃｏｄｅ  ａｓｓｉｇｎｍｅｎｔ  ｓｃｈｅｍｅｓ  ｂａｓｅｄ  ｏｎ  ＵＭＴＳ／ＩＭＴ−２０００  ｉｎ  Ｗ−ＣＤＭＡ」、Ｖｅｈｉｃｕｌａｒ  Ｔｅｃｈｎｏｌｏｇｙ  Ｃｏｎｆｅｒｅｎｃｅ，２００２、議事録、ＶＴＣ  ２００２−Ｆａｌｌ、２００２  ＩＥＥＥ  ５６ｔｈ、Ｒ．  Ａｓｓａｒｕｔ、Ｋ．  Ｋａｗａｎｉｓｈｉ、Ｕ．  Ｙａｍａｍｏｔｏ、Ｙ．  Ｏｎｏｚａｔｏ、１５８５−１５８９頁、３巻
【非特許文献２】「Ｎｏｎｒｅａｒｒａｎｇｅａｂｌｅ  ｃｏｍｐａｃｔ  ａｓｓｉｇｎｍｅｎｔ  ｏｆ  ｏｒｔｈｏｇｏｎａｌ  ｖａｒｉａｂｌｅ  ｓｐｒｅａｄｉｎｇ  ｆａｃｔｏｒ  ｃｏｄｅｓ  ｆｏｒ  ｍｕｌｔｉ−ｒａｔｅ  ｔｒａｆｆｉｃ」、Ｖｅｈｉｃｕｌａｒ  Ｔｅｃｈｎｏｌｏｇｙ  Ｃｏｎｆｅｒｅｎｃｅ，  ２００１，ＶＴＣ  ２００１  Ｆａｌｌ、ＩＥＥＥ  ＶＴＳ  ５４ｔｈ、Ｙａｎｇ  Ｙａｎｇ、Ｙｕｍ，Ｔ．−Ｓ．Ｐ．、９３８−９４２頁、２巻
【発明の開示】
【発明が解決しようとする課題】
【００１０】
本発明は、少なくとも１つの無線ネットワーク制御装置（ＲＮＣ：radio  network  controller）および少なくとも１つの基地局を含む、無線セルラ通信システムにおける通信方法を提供する。ＵＭＴＳタイプのシステムの場合、基地局は、ノードＢとも称される。
【課題を解決するための手段】
【００１１】
無線ネットワーク制御装置は、基地局に、複数の直交可変拡散率符号を提供する。基地局は、そのサービスエリア内のユーザ装置（ＵＥ：user  equipment）との通信リンクのために、こうした符号を使用する。基地局は、ユーザ装置の通信要求の現在の負荷状況を評価し、それが無線ネットワーク制御装置から受信する直交可変拡散率符号の数が、実際の負荷を処理するのに十分かどうかを判断する。
【００１２】
そうでない場合は、追加の直交可変拡散率符号を取得するために、基地局は、無線ネットワーク制御装置に要求を送信する。これと反対の場合には、基地局は、基地局に割り当てられた直交可変拡散率符号の数が無線ネットワーク制御装置によって削減されるように、アクセス量の直交可変拡散率符号を有していることを、無線ネットワーク制御装置に伝えることができる。
【００１３】
本発明の好ましい一実施形態によれば、負荷状況は、符号ブロッキングに基づいて決定される。たとえば、基地局によって、符号ブロッキングが頻発に観測される場合には、これは、直交可変拡散率符号の数が不十分であり、無線ネットワーク制御装置からの追加の符号が要求される必要があることを示す。
【００１４】
本発明の別の好ましい実施形態によれば、基地局は、ユーザ装置への複数のデータチャネル、およびデータチャネルを制御するための複数の制御チャネルをサポートする。データチャネルと制御チャネルの両方のために、直交可変拡散率符号が使用される。好ましくは、データチャネルは、ストリーミングチャネルである。
【００１５】
符号は、基地局によって、無線ネットワーク制御装置から、コヒーレント符号領域として受信される。符号領域は、データチャネル用のコヒーレントサブ領域と、制御チャネル用の別個のサブ領域に分割される。サブ領域の各サイズは、基地局によって、負荷状況に応じて、特に、データサービスを要求するユーザ装置の数に応じて選択される。好ましくは、サブ領域は、コヒーレント符号領域のコヒーレントサブ領域に隣接している。
【００１６】
本発明の別の好ましい実施形態によれば、基地局は、高速ダウンリンクパケットアクセス（ＨＳＤＰＡ：high  speed  down  link  packet  access）機構をサポートする。ＨＳＤＰＡは、基地局からユーザ装置への、ダウンリンクの高速データ伝送を可能にする。ＨＳＤＰＡでは、高速物理ダウンリンク共有チャネル（ＨＳ−ＰＤＳＣＨ：high  speed  physical  down  link  shared  channel）を使用して、ユーザ装置にデータストリームを送信し、高速ダウンリンク共有チャネル（ＨＳ−ＤＳＣＨ：high  speed  down  link  shared  channel）用の共有制御チャネル（ＨＳ−ＳＣＣＨ：shared  control  channel）を使用して、ＨＳ−ＰＤＳＣＨのための制御データを送信する。ＨＳ−ＰＤＳＣＨを介して送信されるデータの量は、ＨＳ−ＳＣＣＨを介して送信されるデータ量よりも非常に大きいので、それぞれ異なる拡散率が使用される。
【００１７】
無線ネットワーク制御装置により送られるコヒーレント符号領域のコヒーレントサブ領域は、ＨＳ−ＰＤＳＣＨ伝送のために使用され、コヒーレント符号領域の別個のサブ領域は、ＨＳ−ＳＣＣＨ伝送のために使用される。負荷状況、特に、基地局のサービスエリア内のユーザ装置の数が変化するので、それに応じて、ＨＳ−ＰＤＳＣＨおよびＨＳ−ＳＣＣＨ伝送の各サブ領域のサイズが、基地局によって変更される。
【００１８】
サブ領域のサイズのこうした適応は、無線ネットワーク制御装置とは独立に、基地局によって実施され得る。これには、使用可能な帯域幅リソースがより適切に使用され得るように、それぞれのサイズの適応が、最小限の待ち時間で実施され得るという利点がある。基地局が、無線ネットワーク制御装置によって送られたコヒーレント符号領域が、現在の負荷状況を処理するのに十分でないと決定する場合に限り、無線ネットワーク制御装置は、コヒーレント符号領域のサイズを適応するために、関与する必要がある。
【００１９】
同様に、基地局は、コヒーレント符号領域が十分に活用されていない場合は、そのサイズの縮小を要求することができる。
【００２０】
本発明は、所与の無線セル内の全体のスループットを改善するので、特に有利である。特に、本発明は、直交可変拡散率符号の符号効率の向上を可能にする。別の利点は、ユーザ装置をスケジューリングするためのＨＳ−ＳＣＣＨ上のアクセスの衝突減少するため、エンドツーエンド遅延および遅延変動を低減できることである。
【００２１】
本発明の好ましい実施形態について、図面を参照することによって、以下でより詳しく説明する。
【発明を実施するための最良の形態】
【００２２】
図１に、無線セルラ通信システム１００を示す。ここで考慮される例では、通信システム１００は、ＵＭＴＳタイプのものである。通信システム１００は、ノードＢアプリケーション部（ＮＢＡＰ：node-B application  part）プロトコルであるインターフェイス１０６によって、ノードＢ１０４に結合された無線ネットワーク制御装置１０２を含む。
【００２３】
ノードＢ１０４は、無線セル１１２内のユーザ装置１１０のためのサービスエリアを提供するアンテナ１０８に接続される。
【００２４】
ノードＢ１０４は、ユーザ装置１１０への通信トラフィックのノードＢ１０４の負荷を測定し評価するための、負荷監視モジュール１１４を含む。ここで考慮される例では、負荷監視モジュール１１４は、負荷状態の尺度として、符号ブロッキングの発生頻度を決定する。
【００２５】
動作において、無線ネットワーク制御装置１０２は、インターフェイス１０６を介してノードＢ１０４に、直交可変拡散率符号１１６を提供する。ノードＢ１０４は、ユーザ装置１１０へのデータ送信のために、符号１１６を使用する。負荷監視モジュール１１４は、現在の負荷状況を永続的に監視する。
【００２６】
負荷状況が、符号１１６がユーザ装置１１０によって要求されるすべての通信サービスを提供するのに十分でないときには、ノードＢ１０４は、追加の直交可変拡散率符号を要求するために、インターフェイス１０６を介して無線ネットワーク制御装置１０２に、メッセージ１１８を送信する。それに応答して、無線ネットワーク制御装置１０２は、ノードＢ１０４がユーザ装置１１０の各サービス要求のすべてを満足できるように、インターフェイス１０６を介してノードＢ１０４に、より多くの符号１１６を提供する。負荷監視モジュール１１４によって、負荷状況の評価が、ノードＢ１０４からユーザ装置１１０への使用可能なチャネル容量が、十分に活用されていないという場合には、ノードＢ１０４は、符号１１６の数が削減されるよう要求するために、インターフェイス１０６を介して無線ネットワーク制御装置１０２に、メッセージ１１８を送信する。このようにして、ノードＢ１０４の余剰のコードが、ノードＢ１０４からユーザ装置１１０への他の通信リンクに割り当てられ得るように、無線ネットワーク制御装置１０２によって解放され、この通信は、通信システム１００、すなわち「通常のＵＭＴＳ」の無線ネットワーク制御装置１０２の制御下にある。
【００２７】
図２に、ＨＳＤＰＡをサポートする、無線セルラ通信システム２００のブロック図を示す。図１および図２の諸実施形態では、同様の参照番号が、図２の参照番号には、１００が足された、同様の要素について、使用されている。
【００２８】
通信システム２００のノードＢ２０４は、負荷監視モジュール２１４から、ノードＢ２０４により経験された負荷状況についての測定値を受信する、符号分配モジュール２２０を含む。さらに、ノードＢ２０４は、ユーザ装置２１０へのＨＳＤＰＡ伝送のＨＳ−ＳＣＣＨおよびＨＳ−ＰＤＳＣＨへの符号割当てを格納するための記憶装置２２２を含む。ノードＢ２０４のスケジューラ２２４は、伝送時間間隔内（ＴＴＩ）のユーザ装置２１０へのデータ伝送をスケジューリングするのに役立つ。
【００２９】
動作において、ノードＢ２０４は、インターフェイス２０６を介して無線ネットワーク制御装置２０２から符号２１６を受信する。符号２１６は、符号分配モジュール２２０によって、要求されたＨＳ−ＳＣＣＨおよびＨＳ−ＰＤＳＣＨに分配される。このコード分配は、負荷監視モジュール２１４によって報告される負荷状況に基づいて、特に、ＨＳＤＰＡサービスを要求するユーザ装置２１０の数に基づいて実施される。制御およびデータチャネル、すなわちＨＳ−ＳＣＣＨおよびＨＳ−ＰＤＳＣＨへの結果として生じる符号の割当ては、符号分配モジュール２２０によって、記憶装置２２２内に格納される。スケジューラ２２４は、記憶装置２２２に格納される、制御チャネルＨＳ−ＳＣＣＨ、およびデータチャネルＨＳ−ＰＤＳＣＨへのコードの割当てを使用して、個々のデータ伝送をスケジューリングする。
【００３０】
したがって、符号分配モジュール２２０は、符号プール、すなわち無線ネットワーク制御装置２０２から受信される符号２１６の管理、ならびにＨＳ−ＳＣＣＨおよびＨＳ−ＰＤＳＣＨへの符号プールの符号の割当てを行う。図４を参照して、より詳細に以下で説明するように、符号分配モジュール２２２は、実際の負荷状況に応じて、ＨＳ−ＳＣＣＨおよびＨＳ−ＰＤＳＣＨの符号を再割当てすることができる。
【００３１】
ここで考慮される好ましい実施形態では、拡散率ＳＦ１６の符号だけが、ＨＳ−ＰＤＳＣＨについて割り当てられ得る。ＨＳ−ＰＤＳＣＨ符号とは対照して、ＨＳ−ＳＣＣＨ符号は、ＳＦ１２８を有する。したがって、それらが符号ツリーの同じブランチの下に位置する場合、符号ツリー内で、ＳＦ１２８の８つの符号は、１つのＳＦ１６の符号と同じ空間を占める。
【００３２】
したがって、符号ツリーの１つのＳＦ１６ブランチは、ＨＳ−ＰＤＳＣＨ用にも、１から８までのＨＳ−ＳＣＣＨ符号にも使用することができる。ＨＳ−ＳＣＣＨ／ＨＳ−ＰＤＳＣＨ符号分配では、残りの符号がＨＳ−ＰＤＳＣＨ用にまだ使用され得るように、ＨＳ−ＳＣＣＨ符号が配置されるように注意し、すなわち符号がもはや使用されない場合は、同じＳＦ１６ブランチに属するものが解放される。
【００３３】
ここで考慮される実施形態では、符号が個別に送られないので、連続した順序でなければならないという要件で、ＵＥへの送信については、複数のＨＳ−ＰＤＳＣＨが並行に使用され得る。
【００３４】
したがって、ＨＳ−ＳＣＣＨ符号は、ＨＳＤＰＡ用に確保される符号範囲の最初と最後に置かれる。最大のパフォーマンスを達成するために、完全なＳＦ１６ブランチに属さない一部の符号が、ＨＳ−ＳＣＣＨ用に割り当てられ得る。こうした符号は、「通常ＵＭＴＳ」符号領域と、ＨＳＤＰＡ用に確保された符号領域の境に配置され得る。
【００３５】
代わりに、符号分配は、少なくとも部分的に、無線ネットワーク制御装置２０２によって実施され得る。このために、無線ネットワーク制御装置２０２は、現在の符号分配および負荷状況に関するノードＢ２０４の報告を取得するために、時々ノードＢ２０４にポーリングすることができる。これに基づいて、無線ネットワーク制御装置２０２は、符号を再分配し、インターフェイス２０６を介してノードＢ２０４に、符号の再分配を知らせることができる。しかし、この解決策には、ノードＢ２０４と無線ネットワーク制御装置２０２の間の情報交換のため、追加の待ち時間が生じるという欠点がある。
【００３６】
図３に示す好ましい一実施形態では、無線ネットワーク制御装置は、ＨＳＤＰＡ制御およびデータチャネル、すなわちＨＳ−ＳＣＣＨおよびＨＳ−ＰＤＳＣＨへの割当てのために、ノードＢに、コヒーレント符号領域３００を提供する（図１の符号１１６および図２の符号２１６参照）。
【００３７】
ノードＢは、無線ネットワーク制御装置からコヒーレント符号領域３００を受信すると、コヒーレント符号領域３００を、ＨＳ−ＰＤＳＣＨにより使用されるコヒーレント符号領域３０２と、ＨＳ−ＳＣＣＨにより使用される符号領域３０４および３０６に分割する。ここで考慮される例では、符号領域３０４と３０６の両方が、コヒーレント符号領域３０２に隣接する。コヒーレント符号領域３００は、ＳＦ１６の符号５から１５に及ぶ。
【００３８】
さらに、コヒーレント符号領域３００は、ＳＦ１６符号レイヤの符号４からの、ＳＦ１２８の２つの符号を含む。ＳＦ１６符号レイヤの符号７から１３は、符号分配モジュールによって、ＨＳ−ＰＤＳＣＨに割り当てられる。換言すれば、符号７から１３は、コヒーレント符号領域３０２を構成する。符号レイヤＳＦ１６の符号１４および１５は、符号領域３０６に割り当てられ、符号レイヤＳＦ１６の符号５および６は、符号領域３０４に割り当てられる。さらに、符号レイヤＳＦ１６の符号４からの、ＳＦ１２８の２つの符号が、符号領域３０４に割り当てられる。
【００３９】
実際の負荷状況に応じて、符号分配モジュールは、コヒーレント符号領域３０２、ならびに符号領域３０４および３０６の幅を変えることができる。コヒーレント符号領域３００が、ＨＳＤＰＡサービスについてのユーザ装置のすべての要求に対処するのに十分であれば、無線ネットワーク制御装置は、制御および／またはデータチャネルへの符号の再割当てに関与する必要はない。再割当てに関する情報は、各ユーザ装置にこの再割当てを分配する無線ネットワーク制御装置に送信される。これについて、図４を参照して、より詳細に説明する。
【００４０】
図４に、ノードＢ内の符号分配モジュールの操作を図示するフローチャートを示す。ステップ４００で、符号分配手順が開始される。これは、ノードＢによって、自律的に又は、無線ネットワーク制御装置の要求に応じて、行われることもある。
【００４１】
ステップ４０２で、実際の符号割当ておよびＨＳ−ＳＣＣＨおよびＨＳ−ＰＤＳＣＨの実際の負荷が、符号分配モジュールによって決定される。この決定は、負荷監視モジュール２１４から受信される情報に基づいておよび／または記憶装置２２２（図２参照）からのデータの読出しにより行われ得る。符号領域が無線ネットワーク制御装置によって拡張された場合、拡張された領域は、省略時値として、ＨＳ−ＳＣＣＨ領域として扱われる。符号領域が縮小された場合、その縮小は、ＨＳ−ＰＤＳＣＨ領域内での縮小として扱われる。このようにして、符号再割当ての手順が加速される。
【００４２】
ステップ４０４で、符号分配モジュールは、ＨＳＤＰＡサービスについてのユーザ装置の要求に従うために、より多くのＰＤＳＣＨチャネルが必要かどうかを決定する。そうでない場合は、制御はステップ４０６に進み、符号分配モジュールは、より多くのＨＳ−ＳＣＣＨが必要であるかどうかを決定する。こうした状況は、無線セル内で、ＨＳＤＰＡサービスを要求するアクティブなユーザ装置の数が増加した場合に生じる。そうでない場合は、制御はステップ４０８に進み、符合分配手順は、停止する。
【００４３】
実際に、さらに多くのＨＳ−ＳＣＣＨが必要な場合は、制御はステップ４１０に進む。ステップ４１０で、無線セル内のユーザ装置への現データ量に必要とされない余分のＨＳ−ＰＤＳＣＨがあるかどうかが決定される。ステップ４１０で、こうした既に使用されていないＨＳ−ＰＤＳＣＨが決定され得る場合、制御はステップ４１２に進み、ＨＳ−ＰＤＳＣＨのうちの１つに割り当てられるＳＦ１６符号が、８つのＳＦ１２８符合に変換され、このＳＦ１２８符合は、最大８つの複数のＨＳ−ＳＣＣＨに割り当てられる。ステップ４１４で、新しい符号分配が格納され、ステップ４１６で、制御分配手順は終了する。新しい符号分配に基づいて、ユーザ装置への新しい符号割当てが実施され、この情報は、無線ネットワーク制御装置に向けて送信され、無線ネットワーク制御装置は、各ユーザ装置にこの再割当てを配布する。
【００４４】
ステップ４１０で、既に使用されていないＨＳ−ＰＤＳＣＨが決定され得ない場合は、制御はステップ４１８に進み、ＨＳＤＰＡサービスについての実際の要求を処理するために、より大きなコヒーレント符号領域を要求するため、無線ネットワーク制御装置にメッセージが送信される。そこから、制御はステップ４２０に進み、符号分配手順は終了する。ノードＢによって、さらに大きいまたは小さいコヒーレント符号領域を含む、メッセージが無線ネットワーク制御装置から受信されると、ステップ４００で、コヒーレント符号領域の変更後のサイズに基づいて、符号分配手順が再開される。
【００４５】
ステップ４０４で、追加のＰＤＳＣＨが必要であると決定される場合、制御はステップ４２２に進む。ステップ４２２で、ユーザ装置に制御情報を送信するのに必要でない、もう使用されていないＨＳ−ＳＣＣＨがあるかどうかが決定される。こうした８つの既に使用されていないＨＳ−ＳＣＣＨが識別され得ない場合は、制御はステップ４２２からステップ４１８に進む。
【００４６】
反対の場合には、８つの使用されていないＨＳ−ＳＣＣＨに割り当てられる８つのＳＦ１２８符合が、対応するＳＦ１６符合で置き換えられ、このＳＦ１６符号は、追加のＨＳ−ＰＤＳＣＨに割り当てられる。そこからステップ４１４に進む。
【００４７】
図５に、対応するオブジェクト関係図を示す。図５に、無線ネットワーク制御装置（ＲＮＣ）、ＮＢＡＰ、ノードＢおよびユーザ装置（ＵＥ）間で交換されるシグナリング情報を図示する。
【００４８】
ノードＢにコヒーレント符号領域を提供するため、無線ネットワーク制御装置は、ＮＢＡＰを介してノードＢに、メッセージ５００を送信する。ノードＢは、ＨＳ−ＳＣＣＨおよびＨＳ−ＰＤＳＣＨに、コヒーレント符号領域の符号を動的に分配する。次いで、ノードＢは、メッセージ５０２によって、無線ネットワーク制御装置に、制御チャネル、すなわちＨＳ−ＳＣＣＨへの符号割当てについて通知する。
【００４９】
これに基づいて、無線ネットワーク制御装置は、ユーザ装置に、制御メッセージ５０４を送信する。制御メッセージ５０４は、ユーザ装置についてＨＳ−ＰＤＳＣＨが告知されるかどうかを決定するために、ユーザ装置が受信しなければならない最大４つのＨＳ−ＳＣＣＨに関して、ユーザ装置に通知する。
【００５０】
ノードＢによって、無線ネットワーク制御装置から提供されたコヒーレント符号領域が、十分に活用されていない、またはすべてのデータ要求を処理するには不十分であると決定される場合は、これは、メッセージ５０６を用いて、ＮＢＡＰを介してノードＢから無線ネットワーク制御装置に、報告し返される。
【００５１】
それに応答して、無線ネットワーク制御装置は、コヒーレント符号領域のサイズを適応させ、新しいメッセージ５００を送信することができる。次いで、ノードＢは、ＨＳ−ＳＣＣＨ領域およびＨＳ−ＰＤＳＣＨ領域への符号の再分配を実施する。この符号分配に基づいて、ユーザ装置へのＨＳ−ＳＣＣＨの再割当てが実施される。再割当てに関する情報は、新しいメッセージ５０２などを用いて、無線ネットワーク制御装置に送信される。
【図面の簡単な説明】
【００５２】
【図１】無線セルラ通信システムのブロック図である。
【図２】ノードＢのより詳細な表示を含む、無線セルラ通信システムのブロック図である。
【図３】無線ネットワーク制御装置によって、ノードＢに提供されるコヒーレント符号領域の図である。
【図４】ＨＳＤＰＡのために、ノードＢによって、コヒーレント符号領域を管理するフローチャートを示す図である。
【図５】オブジェクト関係図である。
【符号の説明】
【００５３】
１００、２００  通信システム
１０２、２０２  無線ネットワーク制御装置
１０４、２０４  ノードＢ
１０６、２０６  インターフェイス
１０８、２０８  アンテナ
１１０、２１０  ユーザ装置
１１２、２１２  無線セル
１１４、２１４  負荷監視モジュール
１１８、２１８  メッセージ
２２０  符号分配モジュール
２２２  記憶装置
２２４  スケジューラ
３００、３０２  コヒーレント符号領域
３０４、３０６  符号領域
【図１】
2005065258.tif 000003
【図２】
2005065258.tif 000004
【図３】
2005065258.tif 000005
【図４】
2005065258.tif 000006
【図５】
2005065258.tif 000007
【外国語明細書】
2005065258.tif 000008
2005065258.tif 000009
2005065258.tif 000010
2005065258.tif 000011
2005065258.tif 000012
2005065258.tif 000013
2005065258.tif 000014
2005065258.tif 000015
2005065258.tif 000016
2005065258.tif 000017
2005065258.tif 000018
2005065258.tif 000019
2005065258.tif 000020
2005065258.tif 000021
2005065258.tif 000022
2005065258.tif 000023
2005065258.tif 000024
2005065258.tif 000025
2005065258.tif 000026
2005065258.tif 000027
2005065258.tif 000028